(57)【要約】【課題】システムの立ち上げに失敗し、電源の再投入とリブ−トにより再立ち上げを行う場合、装置の電源表示ランプが、一旦消灯することによるユーザーの混乱を防止し、オペレ−タに動作状態を適切に表示する。【解決手段】自動的に電源が再投入されリブ−ト動作中は、ランプ表示の意味付けを「電源オン／再投入中」としてランプを点灯のままとするか、別の「再投入中」を表示するランプを増設する。【選択図】      図１
2004334709.tif 000002
【特許請求の範囲】
【請求項１】
主電源が一旦切断された後でも続けて供給されるスタンバイ電源と、
電源投入でブートアップできないことを検出し、電源の再投入指示でリブ−トを行うリブ−ト手段と、
前記スタンバイ電源の供給を受け、電源オン状態とリブ−ト動作状態であることとを表示するランプと、
電源投入でブートアップできず、前記リブ−ト手段により電源が再投入された状態を、前記スタンバイ電源の供給をうけて、前記ランプの点灯を指示するランプ制御手段と、
を有することを特徴とする電源表示ランプ付き情報処理装置。
【請求項２】
リブ−ト動作中も、引き続き電源オンの表示ランプを点灯のままとする、
ことを特徴とする、請求項１に記載の電源表示ランプ付き情報処理装置。
【請求項３】
電源オンの表示ランプに加え、リブ−ト動作中であることを表示するランプを設け表示する手段、
を有することを特徴とする、請求項１に記載の電源表示ランプ付き情報処理装置。
【発明の詳細な説明】
【０００１】
【発明の属する技術分野】
本発明は、コンピュ−タの電源ランプの表示方法に関し、より特定的には、リブ−ト動作時の状態表示に関する。
【０００２】
【従来の技術】
一般的に、コンピュ−タシステムの立ち上げを行うに際しては、そのシステム構成の中心ともいうべきＣＰＵ（主プロセッサ）の電源が投入されることにより、自動的に主メモリを含むＣＰＵ周辺装置や、ＯＳを含むソフトウェアシステムが立ち上がる。図４に、ＣＰＵ周辺基本構成図を示す。装置の電源ユニットは、投入スイッチにより投入される主電源と、切断状態でも最低限の電源供給を行うスタンバイ（ｓｔａｎｄ−ｂｙ）電源とで構成され、また、ＣＰＵ他と接続されるコントロ−ラはチップセットで実現されている。さて、立ち上げ時、ＣＰＵによっては、リブ−トと呼ぶリセットを行って再立ち上げを行うものがある。これは、ＣＰＵ外部からのバスクロック等の低速クロックから、ＣＰＵ内部の高速クロックにクロックの倍率を切り換える設定を、リセットによって有効にするためである。
【０００３】
しかし、このリブ−トの過程でメモリ制御信号（ＤＤＲ：Ｄｏｕｂｌｅ  Ｄａｔａ  Ｒａｔｅ−クロック信号の立ち上がり／立ち下がりの両方を使う場合）の変化パタ−ンが異常になることがある。これは、回路に対してリセットが一斉にかかるため、回路が予期しない状態になることによる。この異常状態は、デ−タをライト後、リ−ドしてどのアドレスに対しても正しいデ−タがライトできないことで検出されるが、この場合には、リブ−ト後にメモリがアクセスできなくなってしまう。このような事態が発生すると、もはやメモリはあらゆるアクセスに対しても正常に応答することはなく，  電源を再投入するしかなくなる。通常、コンピュ−タは、主電源が切断されている状態でも、スタンバイ用の電源回路が入っているか、或いは装置に電池を備えていて、最低限の電源が供給されている状態にあり、手動であれ自動であれ、電源の再投入は可能である。
【０００４】
上記の説明を図５に図示する。図５のリブ−ト関連の処理の流れに示すように、電源オンでリブ−トして、メモリチェックして、正常に立ち上がる場合以外に、メモリチェックの結果で異常検出し、一旦電源オフした後、再度、電源オンして再立ち上げに入る場合がある。
ＢＩＯＳ（Ｂａｓｉｃ  Ｉｎｐｕｔ  Ｏｕｔｐｕｔ  Ｓｙｓｔｅｍ）がこのような異常状態を検出した場合には、システムの運用不可能状態と見てメッセ−ジを出して停止してしまう処理とすることも考えられるが、ブートアップに失敗しても、電源の再投入で成功するケースもあるので、ここでは、とにかく電源を再投入するケ−スを考える。そして、この際の電源の再投入は、手動の電源スイッチ操作ではなく、チップセット内部のタイマ設定により自動オンとする。ＢＩＯＳは電源オフを指示すると共にチップセット内部のタイマを起動し、電源が自動的に再投入されるような設定とする。ところが、このときの電源オンを示すランプ表示は、図３の従来装置の概略構成図に示すように、電源ユニット内の主電源により電源供給されているため、自動で再投入した場合、再立ち上げされるまでの間、電源ランプが一旦消えてしまうので、手動で再度、電源投入しようとするオペレ−タの操作がイレギュラ−なものとなる。このように、オペレ−タ自身が電源を再投入するにせよ、ＢＩＯＳにより自動オンするにせよ、従来の装置では、電源が一旦オフされると電源ランプが消えてしまうため、オペレ−タの混乱を招く、という問題があった。
【０００５】
尚、電源状態の表示方法に関するものとして、特許文献１がある。これは消費電力の低減を目的として、節電状態あるいは電源停止状態に置かれる得る周辺装置の動作状態を表示する表示灯を、前記周辺装置が動作中か、待機中か、節電あるいは電源停止状態からの復帰動作中か、などの状態を表示する表示方法として、点滅の周期あるいは／及び点灯期間と消灯期間の比率を制御することによって表示するものであり、本発明の電源の再投入／リブ−ト時のランプ表示に関するものはなかった。
【０００６】
【特許文献１】
特開平６−１０２９７３号公報（第２−３頁、特許請求の範囲）
【０００７】
【発明が解決しようとする課題】
従って、リブ−ト時の電源再立ち上げ時に、電源表示ランプが消えてしまうことによるオペレ−タの混乱を防ぐために、本発明では、電源ランプを点灯したままとするか，  別に電源再投入中（リブ−ト動作中）であることを示すランプを設けることにより、装置の状態を正確に表すことを目的とする。
【０００８】
【課題を解決するための手段】
上記目的を達成するため、本発明では、主電源が一旦切断された後でも続けて供給されるスタンバイ電源と、電源投入でブートアップできないことを検出し、電源の再投入指示でリブ−トを行うリブ−ト手段と、前記スタンバイ電源の供給を受け、電源オン状態とリブ−ト動作状態であることとを表示するランプと、
電源投入でブートアップできず、前記リブ−ト手段により電源が再投入された状態を、前記スタンバイ電源の供給をうけて、前記ランプの点灯を指示するランプ制御手段と、から電源表示ランプ付き情報処理装置を構成する。
【０００９】
請求項２では、リブ−ト動作中も、引き続き電源オンの表示ランプを点灯のままとし、請求項３では、電源オンの表示ランプに加え、リブ−ト動作中であることを表示するランプを設けて表示する。これにより、オペレ−タに対して、通常の電源オフと電源の再投入の場合の電源オフとの区別を示すことが可能となる。
【００１０】
【発明の実施の形態】
図１は本発明の第１実施例の概略構成図である。以下、図面を参照して本発明の実施例を説明する。電源ランプ兼再投入中ランプの点灯用電源、該ランプの点灯を指示する信号系の電源には、スタンバイ電源を用い、主電源がオフしてもランプの点灯状態を保てるようにする。
【００１１】
図には示さないが、電源オンは電源スイッチによらなくてもチップセット内部のタイマ設定により自動オンできる。異常状態を発見したときにはＢＩＯＳは電源オフを指示するとともにチップセット内部のタイマを起動し、電源が自動的に再投入されるよう、設定を行うことができる。
従来は、電源オンの信号によって電源ユニットから出力される電源の一つ  （例えば＋５Ｖ）によって電源ランプを点灯しているが、本発明ではコントロ−ラ（チップセット）の信号によって電源ランプの点灯を指示する。このことで電源ランプの点灯／消灯がプログラムによって指示できるようになる。また、電源ランプ点灯用の電源、その点灯制御用の電源にはスタンバイ電源を使用する。
【００１２】
本発明のもう一つの実施例のランプ表示の方法は、図２の本発明の第２実施例に示すように、再投入中を示す別のランプをプログラムによってコントロ−ルされるように増設し、このランプの点灯用電源も、スタンバイ電源により供給するようにするものである。
【００１３】
【発明の効果】
本発明によって、異常状態の検出によって電源の再投入を行う場合に、電源ランプを点灯したままとするか、別のランプで電源の再投入中であることを示すかのどちらかによって、オペレ−タに対して通常の電源オフと電源の再投入の場合の電源オフとの区別を示すことが可能となり、その区別がつかないことでオペレ−タが勝手に電源が落ちたと見て電源スイッチを押してしまうような、イレギュラ−な操作を防止できる。
【００１４】
つまり、メモリ制御上の問題に止まらず、本発明によってシステムの立ち上げ時に、ある程度の不確定要素を認め、旨く行かなかった場合には、もう一度電源を再投入する対応が可能となる。
【図面の簡単な説明】
【図１】本発明の第１実施例の概略構成図
【図２】本発明の第２実施例の概略構成図
【図３】従来装置の概略構成図
【図４】ＣＰＵ周辺基本構成図
【図５】リブ−ト関連の処理の流れ
【図１】
2004334709.tif 000003
【図２】
2004334709.tif 000004
【図３】
2004334709.tif 000005
【図４】
2004334709.tif 000006
【図５】
2004334709.tif 000007